(57)【要約】【課題】原稿台に置かれた原稿の幅に合わせて一対の位置決め部材を移動させる操作を容易に行なうことができる技術を提供する。【解決手段】原稿が置かれる原稿トレイ１１と、この原稿トレイ１１に置かれた原稿の原稿幅方向Ｂに移動可能に設けられるとともに、当該原稿幅方向Ｂで原稿を位置決めする一対の原稿ガイド６１，６２とを有する原稿送り装置において、原稿トレイ１１の原稿幅方向Ｂの一方の端辺部に隣接して配置されるとともに、一対の原稿ガイド６１，６２を原稿幅方向Ｂで外側に移動させたときに使用者から見て奥側の原稿ガイド６１が隣接する位置に凹状の逃げ部８３が形成されたフレーム部材８２を備える。【選択図】図６
2011020798.tif 000002
【特許請求の範囲】
【請求項１】
原稿が置かれる原稿台と、
前記原稿台に置かれた原稿の原稿幅方向に移動可能に設けられるとともに、当該原稿幅方向で原稿を位置決めする一対の位置決め部材と、
前記原稿台の前記原稿幅方向の端辺部に隣接して配置されるとともに、前記一対の位置決め部材を前記原稿幅方向で外側に移動させたときに少なくとも一方の位置決め部材が隣接する位置に凹状の逃げ部が形成された枠部材と
を有する原稿送り装置。
【請求項２】
前記原稿幅方向と交差する方向において、前記逃げ部の寸法は、前記位置決め部材の寸法に合わせて設定されている
請求項１記載の原稿送り装置。
【請求項３】
原稿送り装置と、
前記原稿送り装置によって搬送された原稿の画像を読み取る読取手段とを備え、
前記原稿送り装置は、
原稿が置かれる原稿台と、
前記原稿台に置かれた原稿の原稿幅方向に移動可能に設けられるとともに、当該原稿幅方向で原稿を位置決めする一対の位置決め部材と、
前記原稿台の前記原稿幅方向の端辺部に隣接して配置されるとともに、前記一対の位置決め部材を前記原稿幅方向で外側に移動させたときに少なくとも一方の位置決め部材が隣接する位置に凹状の逃げ部が形成された枠部材と
を有する
画像読取装置。
【請求項４】
原稿送り装置および当該原稿送り装置によって搬送された原稿の画像を読み取る読取手段を有する画像読取装置と、
前記読取手段で読み取られた画像に基づいて、記録媒体に画像を記録する画像記録装置とを備え、
前記原稿送り装置は、
原稿が置かれる原稿台と、
前記原稿台に置かれた原稿の原稿幅方向に移動可能に設けられるとともに、当該原稿幅方向で原稿を位置決めする一対の位置決め部材と、
前記原稿台の前記原稿幅方向の端辺部に隣接して配置されるとともに、前記一対の位置決め部材を前記原稿幅方向で外側に移動させたときに少なくとも一方の位置決め部材が隣接する位置に凹状の逃げ部が形成された枠部材と
を有する
画像形成装置。
【発明の詳細な説明】
【技術分野】
【０００１】
本発明は、原稿送り装置、画像読取装置および画像形成装置に関する。
【背景技術】
【０００２】
特許文献１には、原稿トレイに形成されたスライド溝により、原稿の幅方向に移動可能に設けられた奥側ガイドと手前側ガイドを有し、これらのガイドを用いて原稿の幅方向端部を揃えるように原稿を位置決めする、原稿送り装置を有する画像読取装置と当該画像読取装置を備える画像形成装置が開示されている。
【先行技術文献】
【特許文献】
【０００３】
【特許文献１】特開２００９−６７５５９号公報
【発明の概要】
【発明が解決しようとする課題】
【０００４】
本発明の課題は、原稿台に置かれた原稿の幅に合わせて一対の位置決め部材を移動させる操作を容易に行なうことができる技術を提供することにある。
【課題を解決するための手段】
【０００５】
請求項１に記載の発明は、
原稿が置かれる原稿台と、
前記原稿台に置かれた原稿の原稿幅方向に移動可能に設けられるとともに、当該原稿幅方向で原稿を位置決めする一対の位置決め部材と、
前記原稿台の前記原稿幅方向の端辺部に隣接して配置されるとともに、前記一対の位置決め部材を前記原稿幅方向で外側に移動させたときに少なくとも一方の位置決め部材が隣接する位置に凹状の逃げ部が形成された枠部材と
を有する原稿送り装置
に係るものである。
【０００６】
請求項２に記載の発明は、
前記原稿幅方向と交差する方向において、前記逃げ部の寸法は、前記位置決め部材の寸法に合わせて設定されている
請求項１記載の原稿送り装置
に係るものである。
【０００７】
請求項３に記載の発明は、
原稿送り装置と、
前記原稿送り装置によって搬送された原稿の画像を読み取る読取手段とを備え、
前記原稿送り装置は、
原稿が置かれる原稿台と、
前記原稿台に置かれた原稿の原稿幅方向に移動可能に設けられるとともに、当該原稿幅方向で原稿を位置決めする一対の位置決め部材と、
前記原稿台の前記原稿幅方向の端辺部に隣接して配置されるとともに、前記一対の位置決め部材を前記原稿幅方向で外側に移動させたときに少なくとも一方の位置決め部材が隣接する位置に凹状の逃げ部が形成された枠部材と
を有する
画像読取装置
に係るものである。
【０００８】
請求項４に記載の発明は、
原稿送り装置および当該原稿送り装置によって搬送された原稿の画像を読み取る読取手段を有する画像読取装置と、
前記読取手段で読み取られた画像に基づいて、記録媒体に画像を記録する画像記録装置とを備え、
前記原稿送り装置は、
原稿が置かれる原稿台と、
前記原稿台に置かれた原稿の原稿幅方向に移動可能に設けられるとともに、当該原稿幅方向で原稿を位置決めする一対の位置決め部材と、
前記原稿台の前記原稿幅方向の端辺部に隣接して配置されるとともに、前記一対の位置決め部材を前記原稿幅方向で外側に移動させたときに少なくとも一方の位置決め部材が隣接する位置に凹状の逃げ部が形成された枠部材と
を有する
画像形成装置
に係るものである。
【発明の効果】
【０００９】
請求項１に記載の発明によれば、本構成を有しない場合に比べて、原稿台に置かれた原稿の幅に合わせて一対の位置決め部材を移動させる操作を容易に行なうことができる原稿送り装置を提供することが可能となる。
【００１０】
請求項２に記載の発明によれば、枠部材に隣接して配置された位置決め部材を把持する場合に、使用者に対して枠部材の逃げ部に指先を入れる動作を自然に促すことができる。
【００１１】
請求項３に記載の発明によれば、本構成を有しない場合に比べて、原稿台に置かれた原稿の幅に合わせて一対の位置決め部材を移動させる操作を容易に行なうことができる画像読取装置を提供することが可能となる。
【００１２】
請求項４に記載の発明によれば、本構成を有しない場合に比べて、原稿台に置かれた原稿の幅に合わせて一対の位置決め部材を移動させる操作を容易に行なうことができる画像形成装置を提供することが可能となる。
【図面の簡単な説明】
【００１３】
【図１】本発明の実施の形態に係る画像形成装置の構成を示す概略図である。
【図２】本発明の実施の形態に係る画像読取装置が備える原稿送り装置の構成の一部を示す平面図である。
【図３】本発明の実施の形態に係る画像読取装置が備える原稿送り装置の構成の一部を示す斜視図である。
【図４】本発明の実施の形態に係る画像読取装置の全体構成を示す概略図である。
【図５】本発明の実施の形態に係る画像読取装置の外観を示す斜視図である。
【図６】本発明の実施の形態に係る画像読取装置が備える原稿送り装置の原稿トレイ周辺の構造を示す平面概略図である。
【図７】図６のＸ−Ｘ′断面図である。
【図８】図６のＹ−Ｙ′断面図である。
【発明を実施するための形態】
【００１４】
以下、本発明の具体的な実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００１５】
（本発明の実施の形態に係る画像形成装置の構成）
まず、本発明の実施の形態に係る画像形成装置の構成について説明する。図１は本発明の実施の形態に係る画像形成装置の構成を示す概略図である。
【００１６】
本実施の形態に係る画像形成装置１００は、用紙等の記録媒体Ｐに画像を記録する画像記録装置１１０と、原稿を搬送する原稿送り装置の一例として、原稿を搬送すると共にその原稿の画像を読み取る画像読取装置１０とを備えている。
【００１７】
画像読取装置１０は、画像形成装置１００の上部に配置され、画像記録装置１１０は、画像形成装置１００の下部に配置されている。
【００１８】
画像読取装置１０は、原稿の画像を読み取り、その読み取った画像を画像信号に変換するようになっている。画像記録装置１１０は、画像読取装置１０が変換した画像信号に基づいて記録媒体Ｐへ画像を記録するようになっている。
【００１９】
ここで、本実施の形態に係る画像記録装置１１０の構成について説明する。
【００２０】
本実施の形態に係る画像記録装置１１０は、図１に示すように、その下部に複数の記録媒体収容部１２０、１２１を備えている。
【００２１】
記録媒体収容部１２０、１２１には、それぞれ、サイズの異なる記録媒体Ｐが収容されている。例えば、記録媒体収容部１２０には、Ｂ５サイズの記録媒体Ｐが収容され、記録媒体収容部１２１には、Ｂ４サイズの記録媒体Ｐが収容される。
【００２２】
記録媒体収容部１２０、１２１の先端側（図１において右端側）の直上には、記録媒体Ｐの上面の先端側に接触して回転し、記録媒体収容部１２０、１２１から記録媒体Ｐを送り出す送出しロール１２６が配置されている。
【００２３】
画像記録装置１１０内には、記録媒体収容部１２０、１２１の先端部から延出して、Ｓ字状に湾曲し、画像記録装置１１０の上部へ向かって延びる搬送路１２２が形成されている。
【００２４】
この搬送路１２２に沿って、記録媒体の搬送方向の上流側から順に、記録媒体Ｐを挟持搬送する複数（例えば、６つ）の搬送ロール対１６４と、レジストロール１６８とが配置されている。
【００２５】
記録媒体収容部１２１の上方には、記録媒体Ｐへ画像を記録する画像記録部１３０が配置されている。
【００２６】
記録媒体収容部１２０、１２１に収容された記録媒体Ｐは、送出しロール１２６により送り出され、搬送ロール対１６４及びレジストロール１６８によって搬送路１２２を搬送されて画像記録部１３０へ送られる。
【００２７】
画像記録部１３０は、記録媒体収容部１２０、１２１から送られてきた記録媒体Ｐに、シアン、マゼンタ、イエロー及びブラックの各色トナーを用いて記録媒体Ｐにカラー画像を形成するようになっている。
【００２８】
画像記録部１３０には、４つの感光体ドラム１１２が並んで回転可能に配設されている。各感光体ドラム１１２は、図示しない駆動部により、矢印Ｋの方向に回転する。
【００２９】
各感光体ドラム１１２の左斜め下部には、帯電ローラ１１４が感光体ドラム１１２に接触するように配設されている。帯電ローラ１１４は、感光体ドラム１１２の表面を所定の電位に帯電する。
【００３０】
帯電後、各感光体ドラム１１２の下方に配置された各露光ヘッド１１６から出射された光によって露光が行われ、画像読取装置１０が変換した画像信号に応じた潜像が感光体ドラム１１２の表面に形成される。
【００３１】
各色の現像器１１８の現像ローラ１１９には、所定の極性に帯電した各色トナーが保持されている。各感光体ドラム１１２の表面に形成された潜像は、現像ローラ１１９に現像バイアスを印加することで現像され各色のトナー像となる。
【００３２】
４個の各感光体ドラム１１２にそれぞれ形成された各色のトナー像は、各感光体ドラム１１２の上方に配置された中間転写ベルト１１３上に第１転写ローラ１１５で転写され、中間転写ベルト１１３上に重畳されてフルカラーのトナー像となる。
【００３３】
記録媒体収容部１２０、１２１から送り出されると共に搬送ロール対１６４で搬送された記録媒体Ｐは、レジストローラ１６８により所定のタイミングで第２転写ローラ１３２と中間転写ローラ１３４とのニップ部に送られ、フルカラーのトナー像が記録媒体Ｐに転写される。このとき、トナー像は中間転写ローラ１３４側の記録媒体Ｐの面に転写される。
【００３４】
フルカラーのトナー像が転写された記録媒体Ｐは、定着器１３６に送られる。定着器１３６は熱と圧力とで記録媒体Ｐにトナー像を定着する。トナー像が定着した記録媒体Ｐは、排出ローラ１４２によって排紙トレイ１４０へ排出される。
【００３５】
なお、中間転写ベルト１１３と記録媒体Ｐとにトナー像は全て転写されずに、一部は感光体ドラム１１２及び中間転写ベルト１１３に残留トナーとして残る。感光体ドラム１１２上の残留トナーはクリーニングロール１４４により除去され、中間転写ベルト１１３上の残留トナーはクリーニング装置１３８によって除去される。
【００３６】
（本発明の実施の形態に係る画像読取装置の構成）
次に、本発明の実施の形態に係る画像読取装置の構成について、上記図１とあわせて図２〜図４を用いて説明する。
【００３７】
本実施の形態に係る画像読取装置１０は、原稿が置かれる原稿台の一例として設けられた原稿トレイ１１と、原稿トレイ１１を上昇および下降させるトレイリフタ１２とを備えている。原稿トレイ１１には、原稿が１枚だけ置かれる場合と、複数枚の原稿をひとまとめに重ね合わせた原稿束が置かれる場合がある。
【００３８】
また、画像読取装置１０は、原稿トレイ１１に置かれた原稿を１枚ずつ分離して搬送する搬送手段の一例として設けられた搬送部３７と、搬送部３７によって搬送された原稿の画像を読み取る読取手段の一例として設けられた読取部７０と、読取部７０によって読み取られた原稿の画像に基づく画像信号を処理する処理装置８０とを備えている。
【００３９】
搬送部３７は、トレイリフタ１２により上昇された原稿トレイ１１から原稿を送り出す送出しロール１３、送出しロール１３により送り出された原稿を更に下流側まで搬送するフィードロール１４、送出しロール１３により送り出された原稿を１枚ずつに分離する分離ロール１５を備えている。
【００４０】
また、搬送部３７は、原稿トレイ１１から送り出された原稿が最初に搬送される第１搬送路３１を備えている。この第１搬送路３１には、一枚ずつに分離された原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、読取部７０に対してレジストレーション調整を施しながら原稿を供給するレジロール１８、画像を読み取り中の原稿搬送をアシストするプラテンロール１９、画像が読み取られた原稿を更に下流に搬送するアウトロール２０を備えている。
【００４１】
また、第１搬送路３１には、搬送される原稿のループ状態に応じて支点を中心として回動するバッフル４１が設けられている。
【００４２】
アウトロール２０の下流側には、第２搬送路３２および第３搬送路３３が設けられている。第２搬送路３２および第３搬送路３３との分岐には、この第２搬送路３２および第３搬送路３３を切り替える搬送路切替ゲート４２が設けられている。
【００４３】
第２搬送路３２の下流側には、読み取りが終了した原稿が排出される排出部の一例としての排出トレイ４０が設けられている。この排出トレイ４０へ原稿を排出させる第１排出ロール２１が、第２搬送路３２に設けられている。
【００４４】
また、第３搬送路３３の下流側には、第３搬送路３３を経由した原稿をスイッチバックさせるための第４搬送路３４が形成されている。
【００４５】
第４搬送路３４には、原稿のスイッチバックを行うインバータロール２２およびインバータピンチロール２３が設けられている。
【００４６】
第４搬送路３４によってスイッチバックされた原稿を再度、第１搬送路３１に導く第５搬送路３５が、第４搬送路３４と第１搬送路３１とを通じている。
【００４７】
第４搬送路３４によってスイッチバックされた原稿を排出トレイ４０に排出する第６搬送路３６が、第４搬送路３４と通じている。第６搬送路３６には、反転排出される原稿を第１排出ロール２１まで搬送する第２排出ロール２４、第５搬送路３５および第６搬送路３６の搬送経路を切り替える出口切替ゲート４３が設けられている。
【００４８】
送出しロール１３は、待機時にはリフトアップされて退避位置に保持され、原稿搬送時にニップ位置（原稿搬送位置）へ降下して原稿トレイ１１上の最上位の原稿を搬送する。
【００４９】
送出しロール１３およびフィードロール１４は、フィードクラッチ（図示せず）の連結によって原稿の搬送を行う。プレレジロール１７は、停止しているレジロール１８に原稿先端を突き当ててループを作成する。レジロール１８では、ループ作成時に、レジロール１８に噛み込んだ原稿の先端をニップ位置まで戻している。このループが形成されると、バッフル４１は支点を中心として開き、原稿のループを妨げることのないように機能している。
【００５０】
また、テイクアウェイロール１６およびプレレジロール１７は、画像の読み取り中におけるループを保持している。このループ形成によって、読み取りタイミングの調整が図られ、また、読み取り時における原稿搬送に伴うスキューを抑制して、位置合わせの調整機能を高めている。読み取りの開始タイミングに合わせて、停止されていたレジロール１８が回転を開始し、プラテンロール１９によって、第２プラテンガラス７２Ｂに押圧されて、下面方向から原稿の画像が読み取られる。
【００５１】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ（図示せず）がオフの状態でリトラクトされてニップが開放され、原稿を第４搬送路３４へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００５２】
読取部７０は、画像読取装置１０の下部に設けられている。読取部７０は、搬送部３７によって搬送された原稿の画像を光学的に読み取る。読取部７０の筐体を形成する装置フレーム７１には、画像を読み取るべき原稿を静止させた状態で載置する第１プラテンガラス７２Ａ、搬送中の原稿を読み取るための光の開口部を形成する第２プラテンガラス７２Ｂが設けられている。
【００５３】
また、読取部７０は、第２プラテンガラス７２Ｂの下に静止し、第１プラテンガラス７２Ａの全体に亘ってスキャンして画像を読み取るフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。
【００５４】
更に、読取部７０は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８、ＣＣＤイメージセンサ７８を備える駆動基板７９を備えている。ＣＣＤイメージセンサ７８によって得られた画像信号は駆動基板７９を介して処理装置８０に送られる。処理装置８０は、画像信号を露光ヘッド１１６へ送るようになっている。
【００５５】
ここで、まず、第１プラテンガラス７２Ａに載置された原稿の画像を読み取る場合には、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されると共に、その原稿からの反射光が第１ミラー７６Ａ、第２ミラー７６Ｂおよび第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向（スキャンの主走査方向）の１ラインの読み取りが終了すると、主走査方向とは直交する方向（副走査方向）にフルレートキャリッジ７３を移動させ、原稿の次のラインを読み取る。これを原稿サイズ全体に亘って実行することで、１ページの原稿読み取りを完了させる。
【００５６】
一方、第２プラテンガラス７２Ｂは、例えば長尺の板状構造をなす透明なガラスプレートで構成される。搬送部３７によって搬送される原稿がこの第２プラテンガラス７２Ｂの上を通過する。このとき、フルレートキャリッジ７３とハーフレートキャリッジ７５とは、図１に示す実線の位置（左端）に停止した状態にある。まず、搬送部３７のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み取られる。即ち、１次元のセンサであるＣＣＤイメージセンサ７８によって主走査方向の１ライン分を同時に処理した後、搬送部３７によって搬送される原稿の次の主走査方向の１ラインが読み取られる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００５７】
本実施の形態に係る画像読取装置１０では、原稿送り方向Ａに直交する方向（主走査方向）の中央位置（原稿における主走査方向の中央位置）を基準として原稿を搬送し、この搬送された原稿を読み取るセンターレジストレーションが採用されている。このセンターレジストレーションを実現するにあたっては、主走査方向で原稿をセンター振り分けとして、一対の原稿ガイド６１，６２を原稿トレイ１１の原稿載置面に設けている。
【００５８】
一対の原稿ガイド６１，６２は、原稿トレイ１１に置かれた原稿を原稿幅方向で位置決めする位置決め部材の一例として設けられたものである。一対の原稿ガイド６１，６２のうち、一方の原稿ガイド６１は、画像形成装置１００を使用（操作）する使用者の立ち位置から見て奥側に配置され、他方の原稿ガイド６２は、当該使用者の立ち位置から見て手前側に配置されている。このため、以降の説明では、一方の原稿ガイド６１を奥側ガイド６１とも呼び、他方の原稿ガイド６２を手前側ガイド６２とも呼ぶこととする。
【００５９】
奥側ガイド６１および手前側ガイド６２は、原稿トレイ１１に形成されたスライド溝６５により、原稿送り方向Ａに直交する方向（奥行き方向、原稿の幅方向）に移動可能に構成されている。
【００６０】
また、奥側ガイド６１および手前側ガイド６２は、奥側ガイド６１および手前側ガイド６２を原稿の幅方向端部に当てて原稿の幅方向端部が揃えられることで、原稿を主走査方向で位置決めする。
【００６１】
さらに、奥側ガイド６１および手前側ガイド６２は、原稿トレイ１１の原稿載置面の裏側（原稿トレイの内側）に設けられるラック６３とそれぞれ連結され、奥側ガイド６１から延びるラック６３と手前側ガイド６２から延びるラック６３とは、ピニオン６４に連結されている。このラック６３とピニオン６４とによって、奥側ガイド６１および手前側ガイド６２は、一方のガイドのスライド動作に連動してスライドし、その両者のスライド量は、同等に制御される。奥側ガイド６１および手前側ガイド６２が奥行き方向のセンター（中心位置）から均等となる位置に配置されていれば（センター振り分けがなされていれば）、奥側ガイド６１および手前側ガイド６２によって形成される奥行き方向長さのセンター（中心位置）は、これらのガイドがスライドした後であっても維持される。
【００６２】
画像読取装置１０は、図３に示すように、原稿トレイ１１に載置された原稿の原稿幅を検知する第１原稿幅検知センサ５０を備えている。第１原稿幅検知センサ５０は、奥側ガイド６１のスライド移動に伴って、奥側ガイド６１と一体に移動する移動体５２を備えている。
【００６３】
移動体５２は、断面Ｌ字状に屈曲された板体で構成され、奥側ガイド６１のラック６３と一体に構成されている。移動体５２には、複数の開口５３が設けられている。各々の開口５３は、移動体５２の移動方向（長手方向）において、互いに異なる位置に設けられている。
【００６４】
第１原稿幅検知センサ５０は、移動体５２に沿って配置された複数の光センサ５４を備えている。光センサ５４の発光部５４Ａと受光部５４Ｂとの間を、開口５３が形成された移動体５２を移動するようになっており、発光部５４Ａと受光部５４Ｂとの間に開口５３が位置すると、光センサ５４の発光部５４Ａから照射された光を受光部５４Ｂが受光し、発光部５４Ａと受光部５４Ｂとの間に開口５３が位置しなければ、光センサ５４の発光部５４Ａから照射された光を受光部５４Ｂが受光しない。
【００６５】
このように、奥側ガイド６１と一体に移動する移動体５２の開口５３の位置により、原稿トレイ１１に載置された原稿束の原稿幅を検知するようになっており、奥側ガイド６１の位置を基準に原稿トレイ１１に載置された原稿束の原稿幅が検知される。
【００６６】
第１搬送路３１におけるフィードロール１４の下流側近傍には、搬送部３７により原稿トレイ１１から１枚ずつ分離して搬送された原稿の原稿幅を検知する第２原稿幅検知センサ６６が設けられている。この第２原稿幅検知センサ６６は、例えば反射型センサが用いられ、載置されると予想される原稿幅（Ａ４縦、Ａ４横、Ａ５横、Ｂ４横、Ｂ５縦、等のＡ／Ｂ系列や、インチ系のサイズ等）の検知を考慮して、その配置間隔が決定されている。
【００６７】
例えば、１つのセンサがＯＮとなった場合はＢ５サイズと検知し、２つのセンサがＯＮとなった場合はＡ４サイズと検知し、３つのセンサがＯＮとなった場合はＢ４サイズと検知し、４つのセンサがＯＮとなった場合はＡ３サイズと検知する構成としてもよい。
【００６８】
原稿トレイ１１には、原稿トレイ１１に置かれた原稿の原稿長を検知する第１原稿長検知センサ５６が設けられている。この第１原稿長検知センサ５６は、複数のセンサ（例えば、反射型センサ）を用いて構成されている。第１原稿長検知センサ５６は、原稿トレイ１１に載置されると予想される原稿長（Ａ４縦、Ａ４横、Ａ５横、Ｂ４横、Ｂ５縦、等のＡ／Ｂ系列や、インチ系のサイズ等）の検知を考慮して、センサの配置間隔が決定されている。
【００６９】
例えば、１つのセンサがＯＮとなった場合はＢ５サイズと検知し、２つのセンサがＯＮとなった場合はＡ４サイズと検知し、３つのセンサがＯＮとなった場合はＢ４サイズと検知し、４つのセンサがＯＮとなった場合はＡ３サイズと検知する構成としてもよい。
【００７０】
また、搬送路３１には、搬送部３７により原稿トレイ１１から１枚ずつ分離して搬送された原稿の原稿長を検知する第２原稿長検知センサ６８、６９が設けられている。
【００７１】
第２原稿長検知センサ６８、６９は、例えば反射型センサを用いて構成されている。第２原稿長検知センサ６８、６９は、原稿トレイ１１に載置されると予想される原稿長（Ａ４縦、Ａ４横、Ａ５横、Ｂ４横、Ｂ５縦、等のＡ／Ｂ系列や、インチ系のサイズ等）の検知を考慮して、センサの配置間隔が決定されている。
【００７２】
第２原稿長検知センサ６９が原稿の先端を検知し、そのときに第２原稿長検知センサ６８が原稿を検知するか否かによって、原稿の原稿長を検知するようになっている。
【００７３】
なお、第２原稿長検知センサ６９が原稿の先端を検知し、第２原稿長検知センサ６８が原稿の後端を検知し、原稿の先端を検知してから原稿の後端を検知するまでの時間、第２原稿長検知センサ６８と第２原稿長検知センサ６９との距離、搬送速度に基づき、原稿の長さを検知する構成としてもよい。
【００７４】
第１原稿幅検知センサ５０、第２原稿幅検知センサ６６、第１原稿長検知センサ５６及び第２原稿長検知センサ６８、６９には、制御部９０が接続されている。そして、第１原稿幅検知センサ５０、第２原稿幅検知センサ６６、第１原稿長検知センサ５６及び第２原稿長検知センサ６８、６９の検知信号、すなわち原稿の原稿幅情報及び原稿長情報は、制御部９０に送られるようになっている。
【００７５】
制御部９０は、搬送部３７の駆動を制御する。このため、各種ロールの動作やゲートの切り替え動作等は、制御部９０によって制御される。
【００７６】
また、図５に示すように、画像読取装置１０の筐体表面には、画像形成装置１００を使用（操作）する使用者が操作可能な操作部の一例としての操作パネル５８が設けられている。この操作パネル５８は、使用者へ報知する情報が表示される表示部の一例としての表示パネル５９を備えている。
【００７７】
図６は本発明の実施の形態に係る画像読取装置が備える原稿送り装置の原稿トレイ周辺の構造を示す平面概略図である。また、図７は図６のＸ−Ｘ′断面図であり、図８は図６のＹ−Ｙ′断面図である。図６においては、原稿トレイ１１上で原稿送り方向をＡ矢視方向とし、原稿送り方向Ａと直交する原稿幅方向をＢ矢視方向としている。
【００７８】
原稿トレイ１１の原稿送り方向Ａには、カバー部材８１が設けられている。カバー部材８１は、例えば、樹脂の成型品で構成されたもので、前述した搬送部３７の上方を覆うように配置されている。カバー部材８１は、搬送部３７で原稿の詰まり（ジャム）などが発生したときに、搬送路から原稿を容易に取り除けるように、例えば、原稿送り方向Ａの一端部を支点に開閉する構成となっている。
【００７９】
原稿トレイ１１の原稿幅方向Ｂの一方側（図６の右側）には、枠部材の一例としてのフレーム部材８２が設けられている。フレーム部材８２は、例えば、上記カバー部材８１と同様に樹脂の成型品で構成されたもので、原稿幅方向Ｂにおいて原稿トレイ１１の一方の端辺部に隣接して配置されている。フレーム部材８２は、上板部８２Ａと側板部８２Ｂとを一体に有している。フレーム部材８２の上板部８２Ａは、原稿ガイド６１のガイド片６１Ａと略同一高さに配置されている。フレーム部材８２の側板部８２Ｂは、原稿ガイド６１のガイド片６１Ａと略平行に配置されている。フレーム部材８２の側板部８２Ｂと原稿ガイド６１のガイド片６１Ａは、いずれも、原稿トレイ１１の上面と平行な仮想平面から直角に起立する状態で配置されている。また、フレーム部材８２の上面と原稿トレイ１１の上面との段差（高低差）は、原稿送り方向Ａの下流側から上流側（換言すると、原稿トレイ１１に置かれた原稿の先端側から後端側）に向かって徐々に小さくなっている。
【００８０】
なお、ここでは原稿トレイ１１の原稿幅方向Ｂにおいて、一方側だけにフレーム部材８２を設けているが、原稿トレイ１１の原稿幅方向Ｂの両側にフレーム部材８２を設けてもかまわない。
【００８１】
原稿トレイ１１上に配置された一対の原稿ガイド６１，６２は、前述したラック６３とピニオン６４の連結により、原稿幅方向Ｂで互いに同量ずつ接近離間するように移動する仕組みになっている。このため、原稿幅方向Ｂにおいては、一対の原稿ガイド６１，６２間の中心位置が常に一定の位置となり、当該中心位置が、実際に原稿トレイ１１に置かれる原稿の幅方向の中心を合わせるべきセンターレジストレーションの基準位置となっている。
【００８２】
したがって、実際に原稿トレイ１１に原稿をセットする場合は、原稿トレイ１１に置かれた原稿の幅に合わせて一対の原稿ガイド６１，６２を移動させ、一対の原稿ガイド６１，６２のガイド片６１Ａ，６２Ａを各々対応する原稿の側端に突き当てることにより、原稿幅方向Ｂで原稿の位置決めがなされる。
【００８３】
一対の原稿ガイド６１，６２のガイド片６１Ａ，６２Ａは、原稿トレイ１１の上面から上側に起立する状態で配置されている。そして、原稿幅方向Ｂで原稿を位置決めする場合は、一対の原稿ガイド６１，６２のガイド片６１Ａ，６２Ａで原稿を両側から挟み込む形態で、一方のガイド片６１Ａを原稿の一方の側端に突き当て、かつ他方のガイド片６２Ａを原稿の他方の側端に突き当てる。
【００８４】
一対の原稿ガイド６１，６２は、原稿トレイ１１にセットされる各種の原稿サイズに合わせて原稿幅方向に移動される。また、例えば、画像読取装置１０で取り扱える最大幅の原稿を原稿トレイ１１にセットする場合は、一対の原稿ガイド６１，６２を原稿幅方向Ｂで最も外側に移動させる。原稿幅方向Ｂの外側とは、上記センターレジストレーションの基準位置から遠い側をいう。また、原稿幅方向Ｂの内側とは、上記センターレジストレーションの基準位置に近い側をいう。したがって、一対の原稿ガイド６１，６２を外側に移動させた場合は、当該一対の原稿ガイド６１，６２間の離間距離が長くなり、一対の原稿ガイド６１，６２を内側に移動させた場合は、当該一対の原稿ガイド６１，６２間の離間距離が短くなる。
【００８５】
上述のように一対の原稿ガイド６１，６２を原稿幅方向Ｂで最も外側に移動させると、図６および図７に示すように、奥側の原稿ガイド６１が原稿幅方向Ｂでフレーム部材８２の側板部８２Ｂに隣接（近接）した状態に配置される。フレーム部材８２の上面において、上述のように外側に移動させた原稿ガイド６１が隣接する位置には逃げ部８３が形成されている。逃げ部８３は、フレーム部材８２の上面を部分的に凹状にへこませた状態で形成されている。フレーム部材８２（上板部８２Ａ）の上面は、逃げ部８３の形成部位を除いて、平面状に形成されている。
【００８６】
逃げ部８３は、原稿送り方向Ａの寸法が原稿幅方向Ｂの寸法よりも長くなるように形成されている。逃げ部８３は、原稿幅方向Ｂにおいて、上板部８２Ａと側板部８２Ｂとがなすフレーム部材８２の角（かど）部を円弧状に切り欠いた状態で形成されている。フレーム部材８２の上面を基準にした逃げ部８３の深さ寸法は、原稿幅方向Ｂで原稿ガイド６１に近い側が遠い側よりも深くなるように設定されている。また、原稿送り方向Ａでは、逃げ部８３の両端部で当該逃げ部８３の深さ寸法が徐々に浅くなるように設定されている。
【００８７】
原稿幅方向Ｂにおける逃げ部８３の寸法は、当該逃げ部８３に使用者の指先を簡単に挿入し得るように、例えば、１．５〜２ｃｍの範囲内に設定されている。また、原稿幅方向Ｂと交差する方向（原稿送り方向Ａ）においては、逃げ部８３の寸法が原稿ガイド６１の寸法に合わせて設定されている。具体的には、原稿送り方向Ａで逃げ部８３の寸法と原稿ガイド６１の寸法が略同一寸法に設定されている。
【００８８】
ここで記述する「略同一寸法」とは、広義では、比較対象となる２つの部位の寸法のうち、一方の部位の寸法に対して他方の部位の寸法が８０％〜１２０％の範囲内にあることを意味し、狭義では、一方の部位の寸法に対して他方の部位の寸法が９０％〜１１０％の範囲内にあることを意味する。
【００８９】
上記構成からなる画像読取装置１０においては、画像の読み取り対象となる原稿を原稿トレイ１１にセットするにあたって、一対の原稿ガイド６１，６２を最も外側に移動させた状態にすると、奥側の原稿ガイド６１がフレーム部材８２に隣接した状態になる。
【００９０】
この状態で使用者が原稿を原稿トレイ１１に置いて、一対の原稿ガイド６１，２６を用いて原稿幅方向Ｂで原稿を位置決めする場合、使用者は、フレーム部材８２に形成されている逃げ部８３の存在を視覚的に認識し、この認識にしたがって逃げ部８３に指先を入れて原稿ガイド６１を把持するようになる。その場合、使用者は、親指とそれ以外の１本、２本、３本又は４本の指とで原稿ガイド６１のガイド片６１Ａを両側から挟むようにして把持する。このとき、親指以外の指先をフレーム部材８２の逃げ部８３に挿入すれば、逃げ部８３が形成されていない場合に比べて原稿ガイド６１の把持が容易になる。
【００９１】
また、逃げ部８３が形成されていない場合は、原稿ガイド６１とフレーム部材８２との間の隙間が狭くて、そこに指先を挿入できないため、原稿ガイド６１のガイド片６１Ａの端をつまむように把持する可能性が高くなる。これに対して、逃げ部８３が形成されている場合は、原稿ガイド６１のガイド片６１Ａの両側にこれを把持するための空間が確保される。このため、原稿ガイド６１のガイド片６１Ａの中央部（原稿ガイド６１の操作に適した位置）を把持する可能性が高くなる。
【００９２】
また、原稿ガイド６１を把持する前の段階では、原稿送り方向Ａで逃げ部８３の寸法と原稿ガイド６１の寸法が合っていることを使用者が視覚的に認識することで、フレーム部材８２に形成された逃げ部８３が原稿ガイド６１に対応して形成されたものである、との意識付けが強調される。
【００９３】
なお、本発明は、原稿送り装置、当該原稿送り装置を備えるイメージスキャナなどの画像読取装置、又は当該画像読取装置を備える複写機、ファクシミリ装置など画像形成装置に適用される。
【符号の説明】
【００９４】
１０…画像読取装置、１１…原稿トレイ、３７…搬送部、６１…原稿ガイド（奥側ガイド）、６２…原稿ガイド（手前側ガイド）、７０…読取部、８２…フレーム部材、８３…逃げ部、１００…画像形成装置、１１０…画像記録装置
【図１】
2011020798.tif 000003
【図２】
2011020798.tif 000004
【図３】
2011020798.tif 000005
【図４】
2011020798.tif 000006
【図５】
2011020798.tif 000007
【図６】
2011020798.tif 000008
【図７】
2011020798.tif 000009
【図８】
2011020798.tif 000010